(57)【要約】【課題】ラベルの管理が自動化でき、オペレータの負担が軽減され、管理ミスがなくなる紙葉類処理方法を提供する。【解決手段】バッチカードによって１バッチごとに仕切った所定枚数の銀行券を１枚ずつ取出して検査し、少なくとも正規の銀行券と正規ではない銀行券およびバッチカードとに区分して計数する紙葉類処理方法において、関連付けられた２枚のバッチカードを用意し、一方のバッチカードは包装ラベルとともに対応させて保管しておき、他方のバッチカードは処理する銀行券に添付して供給部にセットし、区分処理を行なう。【選択図】      図９
2009134607.tif 000002
【特許請求の範囲】
【請求項１】
所定枚数の紙葉類を１束として包装媒体で包装され、かつ、その包装媒体上に所定の情報が記録されたラベルが付与されている紙葉類束から、前記包装媒体を取り外して所定枚数の紙葉類を取出し、この取出した所定枚数の紙葉類に処理単位ごとに仕切るための仕切カードを重ねた１処理単位分の被処理媒体を複数処理単位重ねて供給部にセットし、このセットされた複数処理単位の被処理媒体を順に１枚ずつ取出して検査し、この検査結果に基づき少なくとも正規の紙葉類と判断された被処理媒体と、正規の紙葉類ではないと判断された被処理媒体および仕切カードと判断された被処理媒体とに区分して計数する紙葉類処理方法において、
１処理単位に対し互いに関連付けられた第１、第２の仕切カードを用意し、一方の仕切カードである第２の仕切カードは前記紙葉類束から取り外した包装媒体上のラベルとともに対応させてラベル収納部に収納しておき、他方の仕切カードである第１の仕切カードは前記所定枚数の紙葉類に対し処理単位ごとに仕切るための仕切カードとして重ねて前記供給部にセットし、前記区分計数処理を行なうことを特徴とする紙葉類処理方法。
【請求項２】
さらに、前記計数した正規の紙葉類と判断された被処理媒体の枚数と正規の紙葉類ではないと判断された被処理媒体の枚数との合計値と、あらかじめ前記第１の仕切カードに対して設定された処理枚数とを両者が一致するか否か照合して、その照合結果を記憶手段に記憶しておき、当該処理終了後、前記ラベル収納部に収納しておいた前記第２の仕切カードと対応する第１の仕切カードの照合結果を前記記憶手段から検索し、検索した照合結果が一致であれば当該第２の仕切カードとともに前記ラベル収納部に収納しておいたラベルを破棄可能とし、前記検索した照合結果が不一致であれば当該第２の仕切カードとともに前記ラベル収納部に収納しておいたラベルを破棄不可能とすることを特徴とする請求項１記載の紙葉類処理方法。
【発明の詳細な説明】
【技術分野】
【０００１】
本発明は、たとえば、バッチカードと称される仕切カードによって１処理単位（１バッチ）ごとに仕切った所定枚数の銀行券を１枚ずつ取出して検査し、少なくとも正規の銀行券と正規ではない銀行券および仕切カードとに区分して計数する紙葉類処理方法に関する。
【背景技術】
【０００２】
従来、たとえば、銀行の各支店等から送られた銀行券を検査して、再使用可能な銀行券だけを結束して再使用に供するための紙葉類処理装置（銀行券処理装置）が知られている（たとえば、特許文献１参照）。
【０００３】
この種の紙葉類処理装置では、たとえば、銀行の各支店等から送られた銀行券を１処理単位（１バッチ）とし、各バッチに１枚のバッチカードを割り当てて各バッチの銀行券の最上端に集積し、このように集積した銀行券とバッチカードとの組合わせを複数バッチ分積み重ねて集積し、一括して供給部にセットして処理するようにしている。
【０００４】
このようにして複数バッチ分集積されてセットされた被処理媒体（銀行券あるいはバッチカード）は、１枚ずつ取出されて搬送され、その１面の画像が読取られて検査される。検査の結果、再使用可能と判断された正規の銀行券は、正券として所定枚数集積されて結束され、再使用に供される。
【０００５】
また、検査の結果、正規の銀行券ではあることが判断されたものの、汚棄損等の理由によって再使用が不可能で失効すべきであると判断された銀行券は、損券として所定の裁断部に送り込まれて裁断されて失効される。さらに、検査の結果、正規の銀行券ではないことが判断された偽造された券などの排除券は、所定の排除集積部へ集積される。
【０００６】
排除集積部には、この他に、バッチの仕切のため銀行券の間に挿入されたバッチカードや２枚取りされてしまった銀行券などが排除集積される。排除集積部に排除された券は、機械処理終了後にオペレータによって取出されて確認され、手作業によって所定の処理部へ振り分けられる。
【０００７】
ところで、このような紙葉類処理装置においては、通常、図１２に示すように、処理する銀行券は１０００枚を１束としてビニール等の包装媒体で包装（パック）されて銀行券束１とされ、かつ、その包装媒体上に取引先情報等を印刷したラベル２が貼付されている。このラベル２は、通常、当該銀行券の計数・照合が終了するまで保管する必要があるが、従来はオペレータが目視管理しており、以下、それについて詳細を説明する。
【０００８】
まず、前処理として、オペレータＡは、銀行券束１を破封して１０００枚の銀行券を取出すとともに、破封したビニール上に貼付されたラベル２は専用のラベル収納箱（ラベル収納部）に入れる。
【０００９】
次に、オペレータＡは、図１３に示すように、複数桁の数字からなる固有のカード番号３、および、このカード番号３を機械読取可能な情報に変換したバーコード４が表面に記録されたバッチカード（仕切カード）５を、その収納箱から１枚取出す。
【００１０】
次に、オペレータＡは、バッチカード５に記載されたカード番号３をメモ用紙に記録しておき、ラベル２を入れたラベル収納箱に入れる。次に、オペレータＡは、バッチカード５を処理する銀行券に添付して紙葉類処理装置の供給部にセットし、上記したような処理を行なう。
【００１１】
処理が終了すると、たとえば、上記オペレータＡとは異なるオペレータＢは、紙葉類処理装置の排除集積部からバッチカード５と排除券を取出す。次に、オペレータＢは、紙葉類処理装置と通信回線で接続された排除券処理装置のバーコードリーダにより、排除集積部から取出したバッチカード５のバーコード４を読取り、当該バッチカード５に対する排除券の枚数を入力することで、処理した銀行券の計数値を前処理時に設定された枚数と照合する。
【００１２】
照合の結果、計数値が一致した場合、オペレータＢは、バッチカード５に記載されたカード番号３のメモ用紙があるラベル収納箱内のラベル２を廃棄する。計数値が一致しなかった場合、オペレータＢは、バッチカード５に記載されたカード番号３のメモ用紙があるラベル収納箱内のラベル２を別の場所に保管し、当該ラベル２に記載された取引先情報等を目視することで、取引先に銀行券の過不足を連絡するなどの処理を行なう。
【特許文献１】特開２００２−３３４３６２号公報
【発明の開示】
【発明が解決しようとする課題】
【００１３】
併しながら,上述した従来の包装ラベル管理では、ラベルがどのバッチのものかをメモ用紙に記録しておく必要がある。また、ラベルの廃棄処理を後から行なうためには、排除券処理装置で照合データの一覧を表示し、メモ用紙に記録したバッチカードの番号と一致するデータをオペレータが目視で検索し、計数値が一致したかどうかを見る必要がある。  
このように、従来のラベル管理はオペレータに大きな負担がかかっており、管理ミスもおきやすいという問題がある。
【００１４】
また、バッチカードは、１バッチずつ、オペレータがバッチカードの収納箱から１枚取って、バーコードリーダで読取り、処理する銀行券に添付しており、オペレータに負担がかかり、処理効率が悪いという問題もある。
【００１５】
そこで、本発明は、ラベルの管理が自動化でき、オペレータの負担が軽減され、管理ミスがなくなる紙葉類処理方法を提供することを目的とする。
【課題を解決するための手段】
【００１６】
本発明の紙葉類処理方法は、所定枚数の紙葉類を１束として包装媒体で包装され、かつ、その包装媒体上に所定の情報が記録されたラベルが付与されている紙葉類束から、前記包装媒体を取り外して所定枚数の紙葉類を取出し、この取出した所定枚数の紙葉類に処理単位ごとに仕切るための仕切カードを重ねた１処理単位分の被処理媒体を複数処理単位重ねて供給部にセットし、このセットされた複数処理単位の被処理媒体を順に１枚ずつ取出して検査し、この検査結果に基づき少なくとも正規の紙葉類と判断された被処理媒体と、正規の紙葉類ではないと判断された被処理媒体および仕切カードと判断された被処理媒体とに区分して計数する紙葉類処理方法において、１処理単位に対し互いに関連付けられた第１、第２の仕切カードを用意し、一方の仕切カードである第２の仕切カードは前記紙葉類束から取り外した包装媒体上のラベルとともに対応させてラベル収納部に収納しておき、他方の仕切カードである第１の仕切カードは前記所定枚数の紙葉類に対し処理単位ごとに仕切るための仕切カードとして重ねて前記供給部にセットし、前記区分計数処理を行なうことを特徴とする。
【００１７】
また、本発明の紙葉類処理方法は、さらに、前記計数した正規の紙葉類と判断された被処理媒体の枚数と正規の紙葉類ではないと判断された被処理媒体の枚数との合計値と、あらかじめ前記第１の仕切カードに対して設定された処理枚数とを両者が一致するか否か照合して、その照合結果を記憶手段に記憶しておき、当該処理終了後、前記ラベル収納部に収納しておいた前記第２の仕切カードと対応する第１の仕切カードの照合結果を前記記憶手段から検索し、検索した照合結果が一致であれば当該第２の仕切カードとともに前記ラベル収納部に収納しておいたラベルを破棄可能とし、前記検索した照合結果が不一致であれば当該第２の仕切カードとともに前記ラベル収納部に収納しておいたラベルを破棄不可能とすることを特徴とする。
【発明の効果】
【００１８】
本発明によれば、ラベルと仕切カードとを関連付けて管理することで、ラベルの管理が自動化でき、オペレータの負担が軽減され、管理ミスがなくなる紙葉類処理方法を提供できる。
【発明を実施するための最良の形態】
【００１９】
以下、本発明の実施の形態について図面を参照して説明する。  
図１、図２は、本発明の実施の形態に係る紙葉類処理装置の構成を概略的に示すものである。この紙葉類処理装置１１は、たとえば、複数の銀行の各支店等から送られた銀行券（紙葉類）を検査して、再使用可能な銀行券だけを結束して再使用に供するためのものである。
【００２０】
図１、図２において、紙葉類処理装置１１は、図１３に示したバッチカード（仕切カード）５を間に挟んだ集積状態の複数枚の銀行券をセットする供給部１２を有する。バッチカード５の表面には、識別情報として複数桁の数字からなる固有のカード番号３、および、このカード番号３を機械読取可能な識別情報に変換したバーコード４が記録されている。ここに、バッチカード５の厚さは、たとえば、銀行券とほぼ同じ厚さに設定されている。
【００２１】
供給部１２に銀行券をセットする前段の前処理として、オペレータによって、１処理単位（バッチ）、たとえば、銀行の各支店から送られた図１２に示したような銀行券束１を破封して所定枚数（たとえば、１０００枚）の同一金種の集積状態の銀行券を取出し、この取出した所定枚数の銀行券の上に１枚のバッチカード５を重ね、その上に次のバッチの所定枚数の銀行券およびバッチカード５を重ね、１回にセット可能なバッチ数の銀行券およびバッチカード５を同様にして重ね合わせる。ここに、各バッチの銀行券の枚数は同じとは限らない。
【００２２】
この際、たとえば、図３に示すように、各バッチごとに挿入したバッチカード５のバーコード４に関連付けて、オペレータによって、各バッチの銀行券に関するデータとして、銀行名、支店名、銀行券の金種、枚数等が入力される。このデータの入力は、たとえば、紙葉類処理装置１１とＬＡＮなどの通信回線を介して接続された前処理装置（図示しない）により行なわれる。このようにして前処理時に入力されたバッチデータは、後段の紙葉類処理装置１１による計数結果との照合に用いられる。
【００２３】
供給部１２の上端には、当該供給部１２にセットされた銀行券およびバッチカード５（以下、総称して被処理媒体と称することもある）をその集積方向上端のものから１枚ずつ取出す取出部１３が設けられている。取出部１３は、最上端の被処理媒体に転接して負圧を生じつつ回転する吸着ローラ１４を有する。吸着ローラ１４は、たとえば、１回転するごとに１枚の被処理媒体を取出すように機能し、被処理媒体を一定のピッチで取出すように動作する。
【００２４】
取出部１３の下流側には、吸着ローラ１４によって取出された被処理媒体を搬送する搬送路１５が延設されている。搬送路１５上には、図示しない搬送ベルトや駆動プーリが配設され、図示しない駆動モータによって搬送ベルトを走行させることにより被処理媒体を搬送路１５を介して一定速度で搬送するようになっている。
【００２５】
取出部１３から延びた搬送路１５上には、搬送されている被処理媒体の特徴を検出して被処理媒体の種類、汚棄損、表裏、真偽などを検査する検査部１６が設けられている。検査部１６は、搬送路１５の両側に配設され、搬送される被処理媒体の両面の画像を読取るための２つの画像読取装置１７，１８を有する。各画像読取装置１７，１８は、たとえば、撮像手段としてＣＣＤカメラを有し、撮像した画像から銀行券の表面の模様やバッチカード５に印刷されたバーコード４を読取り、被処理媒体の寸法や搬送ピッチなどを検出する。
【００２６】
また、検査部１６は、搬送路１５を搬送される被処理媒体の厚みを検査する厚み検査部１９を有する。厚み検査部１９は、基本的に銀行券の２枚取りを検出するが、銀行券とバッチカード５との重ね取りをも検出することができる。
【００２７】
特に、この厚み検査部１９では、銀行券同士またはバッチカード５と銀行券とが何枚重なっているかを検出できる。少なくとも、銀行券１枚、２枚、３枚以上の３種類の重なり方を区別できる。  
この他に、検査部１６は、銀行券の枚数を計数する図示しない計数装置、画像読取装置１７，１８で読取った画像を記憶する図示しないメモリ（記憶部）などを備えている。
【００２８】
検査部１６の下流側の搬送路１５上には、たとえば、６つのゲート２０〜２５が順次配設されている。各ゲート２０〜２５は、検査部１６における検査結果に基づいて図示しない制御部による制御にしたがって切換えられ、当該被処理媒体を所定の処理部へ案内する。
【００２９】
検査部１６の直後に配設されたゲート２０は、搬送路１５を排除搬送路２６に分岐する位置に設けられ、検査部１６を介して正規の銀行券ではないことが検出された排除券、検査部１６において検査できなかった検査不能券、および、バッチカード５を排除搬送路２６へ案内するように切換えられる。
【００３０】
排除搬送路２６の終端部には、取出部１３にて取出した姿勢のまま、すなわち、表裏を反転しないで（実際には３６０°回転させて）、排除券、検査不能券、および、バッチカード５をその取出し順序を変えずに集積する排除集積部（排除部）２７が設けられている。たとえば、供給部１２に表面を上にしてセットされて取出されたバッチカード５は、表面を上にして排除集積部２７に集積される。
【００３１】
排除集積部２７には、この他に、銀行券を重ね取りした検査不能券、銀行券とバッチカード５とを重ね取りした検査不能券、正規の銀行券ではないことが判定された偽券などが集積される。
【００３２】
また、ゲート２０の下流側の搬送路１５に沿って設けられたゲート２１〜２４によって分岐された位置には、それぞれ第１乃至第４の集積・結束部（集積部）２８〜３１（以下、総称して集積・結束部３２と称する場合もある）が配設されている。集積・結束部３２には、ゲート２０を介して導かれた排除券以外の正規の銀行券のうち再使用可能な正券だけが集積されて結束される。
【００３３】
たとえば、第１および第２の集積・結束部２８，２９には、表面を上にした正券が１００枚ずつ集積されて結束され、第３および第４の集積・結束部３０，３１には、裏面を上にした正券が１００枚ずつ集積されて結束される。具体的には、集積・結束部２８に正券を１００枚集積した後、この１００枚の正券を結束しているときに、もう一方の集積・結束部２９に次の１００枚の正券を集積する。このようにして集積・結束部３２で結束された正券は、図示しないコンベア等によって機外へ排出されて再使用に供される。
【００３４】
最も下流側に配設されたゲート２５によって搬送路１５から分岐された位置には、ゲート２０を介して導かれた排除券以外の銀行券のうち、集積・結束部３２へ集積されなかった損券、すなわち、正規の銀行券ではあるが汚棄損等の理由によって再使用不可能と判断された銀行券を裁断して失効させたのち収納する裁断部３３が配設されている。なお、損券裁断モードが選択されていない場合、損券は裁断部３３へ搬送されずに損券集積用のスタッカ３４に集積される。
【００３５】
図４は、上述した紙葉類処理装置１１をオペレータが操作するインタフェース部の近傍を部分的に拡大して示している。この部分には、オペレータによる各種操作入力等を受付けるとともに、オペレータに対して各種操作案内等を表示する操作・表示パネル（表示部）４１が設けられている。操作・表示パネル４１は、表示したボタンにオペレータが触れることで当該ボタンの入力を検知するタッチパネルにより構成されている。この他に、操作・表示パネル４１の近傍には、供給部１２の銀行券投入口を開閉する取っ手４２ａを有するドア４２、排除集積部２７に集積された被処理媒体を取出すための取出口４３、オペレータが操作するテンキー４４などが設けられている。
【００３６】
次に、上記のように構成された紙葉類処理装置１１の動作について、図５および図６に示すフローチャートを参照して説明する。
【００３７】
まず、オペレータの手作業によってバッチごとにバッチカード５が挿入された１まとめの被処理媒体が供給部１２にセットされる（ステップＳ１）。この場合、オペレータは、ドア４２を開けて被処理媒体を供給部１２へセットする。この後、取出部１３が駆動されることで、被処理媒体が最上端のものから順に１枚ずつ搬送路１５上に取出される（ステップＳ２）。搬送路１５上に取出された被処理媒体は、検査部１６の画像読取装置１７，１８を順次通過し、両面の画像が順次読取られる（ステップＳ３）。
【００３８】
このとき、たとえば、取出部１３によって複数枚の被処理媒体が重なった状態で取出されている場合、集積方向両端にある被処理媒体の表面の画像がそれぞれ画像読取装置１７，１８により読取られる。たとえば、バッチカード５を２枚の銀行券が挟んだ状態で取出された場合には、バッチカード５の両側にある銀行券の画像がそれぞれ読取られる。当然のことながら、銀行券が１枚だけ正常に取出されている場合には、当該銀行券の表裏の画像がそれぞれ読取られることになる。
【００３９】
このようにして被処理媒体から読取られた画像は、検査部１６の図示しないメモリに一時記憶され、必要に応じて操作・表示パネル４１を介してオペレータに対して表示される。本実施の形態では、取出部１３で取出された被処理媒体のうち、排除集積部２７へ集積される被処理媒体の画像のみをメモリに記憶するようにしている。なお、メモリに記憶した画像は、操作・表示パネル４１における所定の操作により切換え表示可能となっている。
【００４０】
検査部１６は、画像読取装置１７，１８により読取られた画像に基づいて、当該被処理媒体が正規の銀行券であるか否かが判断される（ステップＳ４）。この判断の結果、正規の銀行券であると判断されると、当該銀行券は再使用可能な正券であるか否かが判断される（ステップＳ５）。
【００４１】
この判断の結果、当該銀行券が再使用可能な正券である場合、ゲート２０が集積・結束部３２に向かう搬送路１５の方向に切換えられる。そして、ゲート２１〜２４のうちいずれか１つのゲートが集積・結束部３２方向に切換えられ、ゲート２０を介して導かれた当該正券がいずれかの集積・結束部３２に集積される（ステップＳ６）。
【００４２】
本実施の形態では、たとえば、一方の画像読取装置１７で表の模様が検出された正券、すなわち、表面を上にした状態で搬送された正券を第１、第２の集積・結束部２８，２９のいずれか一方に集積し、他方の画像読取装置１８で表の模様が検出された正券、すなわち、裏面を上にした状態で搬送された正券を第３、第４の集積・結束部３０，３１のいずれか一方に集積するようにしている。
【００４３】
これにより、正券の表裏を取り揃えるようにしている。たとえば、第１の集積・結束部２８に表面が上の正券を集積していき、第１の集積・結束部２８の正券が１００枚に達した時点で、１００枚の正券を結束するとともに、第２の集積・結束部２９に対する正券の集積を開始し、２つの集積・結束部に１００枚ずつ交互に集積して結束するようにしている。
【００４４】
ステップＳ５における判断の結果、当該銀行券が再使用不可能な損券である場合、ゲート２５が切換えられて搬送中の当該損券が裁断部３３へ導かれ、当該損券が裁断されて失効される（ステップＳ７）。なお、ステップ６で集積・結束した正券の枚数、および、ステップ７で裁断して失効した損券の枚数は、検査部１６の計数装置で計数されて、図示しない制御部で集計されて、前処理時にオペレータによって入力された図３のバッチデータに関連付けて登録される。
【００４５】
ステップＳ４における判断の結果、当該被処理媒体が正規の銀行券でない場合、ゲート２０が切換えられて搬送路１５が排除搬送路２６に接続される（ステップＳ８）。そして、検査部１６は、当該被処理媒体がバッチカード５であるか否かを判断する（ステップＳ９）。ここに、当該被処理媒体がバッチカード５であるか否かの判断は、通常、バッチカード５の画像から判断されるが、たとえば、バッチカード５の大きさを銀行券よりも明らかに大きくし、あるいは、銀行券にはない色でバッチカード５を着色しておくことで、バッチカード５であることを容易に判断できる。また、バッチカード５に銀行券にはない磁気成分を保持せしめておき、この磁気成分を検出することでバッチカード５を識別することもできる。
【００４６】
ステップＳ９における判断の結果、当該被処理媒体はバッチカード５でない場合、すなわち、２つの画像読取装置１７，１８で読取ったいずれの画像からも当該被処理媒体がバッチカード５ではないことが判断されると、当該被処理媒体が正規の銀行券ではない例えば偽造された排除券であることが判断され、あるいは、２枚以上の銀行券の重ね取りが判断され、排除搬送路２６に導かれた当該被処理媒体がそのまま排除集積部２７へ集積される（ステップＳ１０）。
【００４７】
ステップＳ９における判断の結果、当該被処理媒体はバッチカード５である場合、画像読取装置１７，１８で読取った当該被処理媒体の画像から識別情報としてのバーコード４が認識される（ステップＳ１１）。
【００４８】
ステップＳ１１における認識の結果、当該被処理媒体の表面にあるバーコード４が認識できた場合（ステップＳ１２）、排除搬送路２６に導かれた当該バッチカード５はそのまま排除集積部２７に集積される（ステップＳ１３）。そして、この時点で、次のバッチの処理開始が判断され、バッチが切換えられる（ステップＳ１４）。
【００４９】
ステップＳ１１における認識の結果、当該被処理媒体の表面にあるバーコード４が認識できない場合（ステップＳ１２）、バーコード４の誤認識が判断され、あるいは、バッチカード５の表面に他の銀行券（或いは排除券）を伴って重ね取りされたものであることが判断され、当該被処理媒体の搬送が停止されて排除搬送路２６上に停止される（ステップＳ１５）。このようにして、排除搬送路２６上に停止された当該被処理媒体は、オペレータによって取出されて確認され、手作業によって処理される。
【００５０】
次に、本発明に係る包装ラベル管理について説明する。  
まず、１バッチに対し互いに関連付けられた２枚のバッチカード５を用意する。本実施の形態では、たとえば、後述するようにあらかじめ関連付けて登録されたカード番号３（バーコード４）が記録された２枚のバッチカード５を用いるものとするが、同一のカード番号３（バーコード４）としてもよく、互いに関連付けられていればよい。ここで、説明の都合上、一方のバッチカード５を第１のバッチカード５ａとし、他方のバッチカード５を第２のバッチカード５ｂとする。
【００５１】
まず、前処理として、オペレータＡは、銀行券束１を破封して１０００枚の銀行券を取出すとともに、破封したビニール上に貼付されたラベル２は、第２のバッチカード５ｂと対応させて専用のラベル収納箱（ラベル収納部）に入れる。
【００５２】
次に、オペレータＡは、前処理装置（図示省略）において、第１のバッチカード５ａに対し処理する銀行券の枚数を入力する。すなわち、図７のフローチャートに示すように、紙葉類処理装置１１と通信回線で接続された前処理装置（図示省略）において、バーコードリーダにより第１のバッチカード５ａのバーコード４を読取り（ステップＳ２１）、次に処理する銀行券の枚数（たとえば、１０００枚とする）Ａを入力し（ステップＳ２２）、入力した枚数Ａを上記読取ったバーコードの値（つまりカード番号）と対応させてデータ記憶装置６に記録（記憶）する（ステップＳ２３）。これを各バッチごとに行なう。
【００５３】
次に、オペレータＡは、第１のバッチカード５ａを対応するバッチの銀行券に添付して供給部１２にセットし、前記したような処理を行なう。この場合、前述したように検査部１６の計数装置で計数された正規の銀行券の枚数（正券数＋損券数、たとえば、９９０枚とする）Ｂが、当該銀行券と対応する第１のバッチカード５ａのカード番号（ステップＳ１１で認識）と対応させてデータ記憶装置６に記録されるものとする。
【００５４】
処理が終了すると、たとえば、上記オペレータＡとは異なるオペレータＢは、排除集積部２７から第１のバッチカード５ａと排除券を取出す。次に、オペレータＢは、排除券処理装置（図示省略）において、排除集積部２７から取出した第１のバッチカード５ａに対し排除券の枚数を入力し、計数照合を行なう。
【００５５】
すなわち、図８のフローチャートに示すように、紙葉類処理装置１１と通信回線で接続された排除券処理装置（図示省略）において、バーコードリーダにより第１のバッチカード５ａのバーコード４を読取り（ステップＳ３１）、次に排除集積部２７から取出した排除券の枚数（たとえば、１０枚とする）Ｃを入力し（ステップＳ３２）、照合指示を入力することにより（ステップＳ３３）、上記読取ったバーコードの値（つまりカード番号）と対応するカード番号を持つ銀行券の枚数Ａ，Ｂをデータ記憶装置６から検索し（ステップＳ３４）、［Ａ＝Ｂ＋Ｃ］なる演算（計数値の照合）を行なう（ステップＳ３５）。
【００５６】
この演算結果、計数値が一致した場合、すなわち［Ａ＝Ｂ＋Ｃ］が成立した場合（ステップＳ３５）、計数一致を図示しない表示装置でオペレータＢに対し表示し（ステップＳ３６）、計数値が一致しない場合、すなわち［Ａ＝Ｂ＋Ｃ］が成立しなかった場合（ステップＳ３５）、計数不一致を図示しない表示装置でオペレータＢに対し表示する（ステップＳ３７）。そして、上記演算結果（照合結果）を対応するカード番号と対応させてデータ記憶装置６に記憶する（ステップＳ３８）。
【００５７】
排除券処理が終了すると、たとえば、上記オペレータＢとは異なるオペレータＣは、第１のバッチカード５ａと関連づけられた第２のバッチカード５ｂをラベル収納箱から取出し、取出した第２のバッチカード５ｂを用いて包装ラベルの管理を行なう。
【００５８】
すなわち、図９のフローチャートに示すように、紙葉類処理装置１１と通信回線で接続された排除券処理装置（図示省略）において、バーコードリーダにより第２のバッチカード５ｂのバーコード４を読取ることにより（ステップＳ４１）、この読取ったバーコードの値（つまりカード番号）と対応するカード番号を持つ第１のバッチカード５ａの照合結果をデータ記憶装置６から検索し（ステップＳ４２）、この検索した照合結果を判断する（ステップＳ４３）。
【００５９】
この判断の結果、照合結果が「計数一致」であれば、ラベル廃棄可能を図示しない表示装置でオペレータＣに対し表示し（ステップＳ４４）、「計数不一致」であれば、ラベル廃棄不可能を図示しない表示装置でオペレータＣに対し表示する（ステップＳ４５）。
【００６０】
オペレータＣは、廃棄可能が表示された場合、第２のバッチカード５ｂとともに収納されていたラベル２をラベル収納箱から取出して廃棄し、廃棄不可能が表示された場合、第２のバッチカード５ｂとともに収納されていたラベル２をラベル収納箱から取出して別の場所に保管し、当該ラベル２に記載された取引先情報等を目視することで、取引先に銀行券の過不足を連絡するなどの処理を行なう。
【００６１】
次に、互いに関連付けられた２枚のバッチカード５を自動的に発行するカード発行装置について図１０を参照して説明する。  
このカード発行装置５１は、図１３に示したバッチカード５を多数枚セット可能で、セットされたバッチカード５を１枚ずつ供給する機能を有するカード供給部５２、供給されたバッチカード５からバーコード４を読取るバーコードリーダ５３、バッチカード５を排出するカード排出口５４、発行命令を入力する発行ボタン５５、および、バーコードリーダ５３の読取結果を処理する情報処理装置５６を有して構成される。
【００６２】
このような構成において、図１１に示すフローチャートを参照してカード発行装置５１の動作を説明する。  
まず、オペレータは、多数枚のバッチカード５をカード供給部５２にセットし（ステップＳ５１）、発行ボタン５５を押下すると（ステップＳ５２）、カード供給部５２は２枚のバッチカード５を順にバーコードリーダ５３に供給する（ステップＳ５３）。バーコードリーダ５３は、順に供給される２枚のバッチカード５からバーコード４を読取り（ステップＳ５４）、情報処理装置５６へ送る。情報処理装置５６は、２枚のバッチカード５のバーコード４（つまりカード番号３）を関連付けて、たとえば、データ記憶装置６内に設けられた関連付けテーブルに登録（記憶）し（ステップＳ５５）、その後、２枚のバッチカード５をカード排出口５４から排出する（ステップＳ５６）。なお、データ記憶装置６内の関連付けテーブルは、前述した照合処理等において必要に応じて参照される。
【００６３】
このように、上記実施の形態によれば、ラベルとバッチカードとを関連付けて管理することで、ラベルの管理が自動化でき、オペレータの負担が軽減され、管理ミスがなくなる。また、紙葉類処理装置や排除券処理装置での処理と平行していつでもラベル管理を行なうことができる。
【図面の簡単な説明】
【００６４】
【図１】本発明の実施の形態に係る紙葉類処理装置の外観を模式的に示す斜視図。
【図２】図１の紙葉類処理装置の内部構成を模式的に示す構成図。
【図３】前処理時に入力されるバッチデータおよび計数結果を示す図。
【図４】オペレータによる操作されるインタフェース部近傍を部分的に拡大して示す拡大斜視図。
【図５】図１の紙葉類処理装置の処理動作を説明するためのフローチャート。
【図６】図１の紙葉類処理装置の処理動作を説明するためのフローチャート。
【図７】本発明の実施の形態に係る前処理を説明するためのフローチャート。
【図８】本発明の実施の形態に係る排除券処理を説明するためのフローチャート。
【図９】本発明の実施の形態に係る放送ラベル管理を説明するためのフローチャート。
【図１０】本発明の実施の形態に係るカード発行装置の構成を模式的に示す構成図。
【図１１】本発明の実施の形態に係るカード発行装置の動作を説明するためのフローチャート。
【図１２】処理対象とする銀行券束の外観を模式的に示す斜視図。
【図１３】バッチカードの構成を模式的に示す構成図。
【符号の説明】
【００６５】
１…銀行券束（紙葉類束）、２…ラベル、３…カード番号（識別情報）、４…バーコード（識別情報）、５…バッチカード（仕切カード）、１１…紙葉類処理装置、１２…供給部、１３…取出部、１５…搬送路、１６…検査部、１７，１８…画像読取装置、２０〜２５ゲート、２６…排除搬送路、２７…排除集積部、２８〜３１…集積・結束部、４１…操作・表示パネル、４２…ドア、４３…取出口、４４…テンキー。
【図１】
2009134607.tif 000003
【図２】
2009134607.tif 000004
【図３】
2009134607.tif 000005
【図４】
2009134607.tif 000006
【図５】
2009134607.tif 000007
【図６】
2009134607.tif 000008
【図７】
2009134607.tif 000009
【図８】
2009134607.tif 000010
【図９】
2009134607.tif 000011
【図１０】
2009134607.tif 000012
【図１１】
2009134607.tif 000013
【図１２】
2009134607.tif 000014
【図１３】
2009134607.tif 000015